(57)【要約】【課題】小型で安全性が高く、且つチケット情報を迅速且つ容易に取得することができるチケット情報管理システム等を提供すること。【解決手段】要チケット情報が記載される対象物１１に付され、チケット取得関連情報１０３の格納手段１０２と、固有識別情報１０７の格納手段１０２と、を有し電子部品から成るタグ部１００と、タグ部と非接触で情報を受信可能なタグ通信手段２３０と、チケットの取得関連情報に基づきチケット要求情報を生成する生成情報の格納手段２１６と、を有する携帯端末装置２００と、提供装置側通信手段３０１と、チケット要求情報に基づきチケット取得情報を生成する生成情報の格納手段３０４と、を有するチケット提供装置３００と、チケット取得情報を解析する解析情報の格納手段４０３と、を有するチケット取得確認装置４００と、を有するチケット情報管理システム１０。【選択図】図１
2005267245.tif 000002
【特許請求の範囲】
【請求項１】
情報の提供にチケットの取得が条件となっている要チケット情報が記載されている対象物に対して付されると共に、
少なくとも前記チケットのチケット取得関連情報が格納されているチケット取得関連情報格納手段と、
固有識別情報を格納する固有識別情報格納手段と、を有する電子部品から成るタグ部と、
前記タグ部と非接触で少なくとも前記チケット取得関連情報を受信可能なタグ通信手段と、
前記チケットの取得関連情報に基づき前記チケットの取得を求めるチケット要求情報を生成するチケット要求情報生成情報を格納するチケット要求情報生成情報格納手段と、を有する携帯端末装置と、
前記携帯端末装置と通信可能な提供装置側通信手段と、
前記携帯端末装置からの前記チケット要求情報に基づいて、前記携帯端末装置に送信するための、少なくともチケット取得情報を生成するチケット取得情報生成情報を格納するチケット取得情報生成情報格納手段と、を有するチケット提供装置と、
前記携帯端末装置が前記チケット取得情報を有するか否かを解析するチケット取得情報解析情報を格納するチケット取得情報解析情報格納手段と、を有するチケット取得確認装置と、を有することを特徴とするチケット情報管理システム。
【請求項２】
前記タグ部の前記チケット取得関連情報には、前記要チケット情報の課金情報である要チケット情報課金情報が含まれ、
前記携帯端末装置と通信可能な課金装置が接続され、
前記携帯端末装置は、前記課金装置に対し送信する課金実行情報を生成する課金実行情報生成情報を格納する課金実行情報生成情報格納手段を有し、
前記課金装置は、前記携帯端末装置からの前記課金実行情報に基づき、前記携帯端末装置に送信する、少なくとも課金確認情報を生成する課金確認情報生成情報を格納する課金確認情報生成情報格納手段を有し、
前記携帯端末装置の前記チケット要求情報生成情報が、少なくとも前記タグ部から取得した前記チケット取得関連情報及び、前記課金装置から取得した前記課金確認情報に基づいて前記チケット要求情報を生成する構成となっていることを特徴とする請求項１に記載のチケット情報管理システム。
【請求項３】
前記チケット取得確認装置と前記携帯端末装置とは、非接触で通信可能な構成となっていることを特徴とする請求項１又は請求項２に記載のチケット情報管理システム。
【請求項４】
情報の提供にチケットの取得が条件となっている要チケット情報及び前記チケットに関するチケット関連情報を格納するチケット関連情報格納手段と、
電子部品から成り固有識別情報を有するタグ部から携帯端末装置が取得した少なくともチケット取得関連情報に基づいて、前記携帯端末装置が生成したチケット要求情報を取得するチケット要求情報取得手段と、
前記携帯端末装置から取得したチケット要求情報と前記チケット関連情報格納手段内の前記チケット関連情報に基づいて、チケット取得情報を生成するチケット取得情報生成情報を格納するチケット取得情報生成情報格納手段と、
前記チケット取得情報を前記携帯端末装置に送信するチケット取得情報送信手段と、を有することを特徴とするチケット提供装置。
【請求項５】
情報の提供にチケットの取得が条件となっている要チケット情報が記載されている対象物に対して付されると共に、少なくとも前記チケットのチケット取得関連情報がチケット取得関連情報格納手段に格納され、固有識別情報を有し、電子部品から成るタグ部から、携帯端末装置のタグ通信手段が非接触で前記チケット取得関連情報を取得するチケット取得関連情報入手工程と、
前記携帯端末装置が、前記チケットの取得関連情報に基づき前記チケットの取得を求めるチケット要求情報を生成するチケット要求情報生成工程と、
前記携帯端末装置が、前記チケット要求情報生成工程で生成された前記チケット要求情報をチケット提供装置へ送信するチケット要求情報送信工程と、
前記チケット提供装置が、前記携帯端末装置からの前記チケット要求情報に基づいて、前記携帯端末装置に送信するための、少なくともチケット取得情報を生成するチケット取得情報生成工程と、
チケット取得確認装置が、前記携帯端末装置が前記チケット取得情報を有するか否かをチケット取得情報解析情報で解析するチケット取得情報解析工程と、を有することを特徴とするチケット情報管理方法。
【請求項６】
チケット要求情報取得手段が、電子部品から成り固有識別情報を有するタグ部から携帯端末装置が取得した少なくともチケット取得関連情報に基づいて、前記携帯端末装置が生成したチケット要求情報を取得するチケット要求情報取得工程と、
前記携帯端末装置から取得したチケット要求情報と、チケット関連情報格納手段に格納されていると共に、情報の提供にチケットの取得が条件となっている要チケット情報及び前記チケットに関するチケット関連情報とに基づいて、チケット取得情報を生成するチケット取得情報生成工程と、
チケット取得情報送信手段が、前記チケット取得情報を前記携帯端末装置に送信するチケット取得情報送信工程と、を有することを特徴とするチケット提供装置の制御方法。
【請求項７】
コンピュータに、チケット要求情報取得手段が、電子部品から成り固有識別情報を有するタグ部から携帯端末装置が取得した少なくともチケット取得関連情報に基づいて、前記携帯端末装置が生成したチケット要求情報を取得するチケット要求情報取得工程と、
前記携帯端末装置から取得したチケット要求情報と、チケット関連情報格納手段に格納されていると共に、情報の提供にチケットの取得が条件となっている要チケット情報及び前記チケットに関するチケット関連情報とに基づいて、チケット取得情報を生成するチケット取得情報生成工程と、
チケット取得情報送信手段が、前記チケット取得情報を前記携帯端末装置に送信するチケット取得情報送信工程と、を実行させるためのチケット提供装置の制御プログラム。
【請求項８】
コンピュータに、チケット要求情報取得手段が、電子部品から成り固有識別情報を有するタグ部から携帯端末装置が取得した少なくともチケット取得関連情報に基づいて、前記携帯端末装置が生成したチケット要求情報を取得するチケット要求情報取得工程と、
前記携帯端末装置から取得したチケット要求情報と、チケット関連情報格納手段に格納されていると共に、情報の提供にチケットの取得が条件となっている要チケット情報及び前記チケットに関するチケット関連情報とに基づいて、チケット取得情報を生成するチケット取得情報生成工程と、
チケット取得情報送信手段が、前記チケット取得情報を前記携帯端末装置に送信するチケット取得情報送信工程と、を実行させるためのチケット提供装置の制御プログラムを記録したコンピュータ読み取り可能な記録媒体。
【発明の詳細な説明】
【技術分野】
【０００１】
本発明は、例えば、映画鑑賞チケット等の購入等の情報を管理するチケット情報管理システム、チケット提供装置、チケット情報管理方法、チケット提供装置の制御方法、チケット提供装置の制御プログラム、チケット提供装置の制御プログラムを記録したコンピュータ読み取り可能な記録媒体に関するものである。
【背景技術】
【０００２】
従来より、映画ポスター等が多くの場所に貼られ、映画内容の掲示等がなされている。このような映画ポスターを見て、当該映画を鑑賞したいと思う利用者は、当該映画の鑑賞用のチケットをチケット販売店で購入する必要があった。
しかし、このようなチケット販売店は、貼付されている映画ポスター等の付近に存在する場合がまれなため、チケット購入希望者である利用者は、チケット販売店を探してから鑑賞用のチケットを購入する必要があり、鑑賞用のチケットを購入しにくかった。
このような事態に対応するため、チケット販売店を多く配置することも考えられるが、チケット販売店毎に係員を配置する必要がありコストが上昇し困難であった。
そこで、チケット販売店に係員を配置せず、例えば、２次元コード等のＱＲコード等を付したパンフレット等を配置し、利用者がこのＱＲコード等を読み取り機で読み取ることで、鑑賞用チケットに関する情報を取得する方法も考えられる（例えば、特許文献１）。
【特許文献１】特開２０００−２６７９６６号公報
【発明の開示】
【発明が解決しようとする課題】
【０００３】
しかし、このＱＲコード等は２次元コードであるため、格納する情報が増加すると大型化するという問題があった。また、ＱＲコード等の２次元コードは、スキャナ装置で容易に複製ができ、情報を簡単に盗まれるという問題もあった。
【０００４】
そこで、本発明は、小型で安全性が高く、且つチケット情報を迅速且つ容易に取得することができるチケット情報管理システム、チケット提供装置、チケット情報管理方法、チケット提供装置の制御方法、チケット提供装置の制御プログラム、チケット提供装置の制御プログラムを記録したコンピュータ読み取り可能な記録媒体を提供することを目的とする。
【課題を解決するための手段】
【０００５】
前記課題は、第１の発明によれば、情報の提供にチケットの取得が条件となっている要チケット情報が記載されている対象物に対して付されると共に、少なくとも前記チケットのチケット取得関連情報が格納されているチケット取得関連情報格納手段と、固有識別情報を格納する固有識別情報格納手段と、を有する電子部品から成るタグ部と、前記タグ部と非接触で少なくとも前記チケット取得関連情報を受信可能なタグ通信手段と、前記チケットの取得関連情報に基づき前記チケットの取得を求めるチケット要求情報を生成するチケット要求情報生成情報を格納するチケット要求情報生成情報格納手段と、を有する携帯端末装置と、前記携帯端末装置と通信可能な提供装置側通信手段と、前記携帯端末装置からの前記チケット要求情報に基づいて、前記携帯端末装置に送信するための、少なくともチケット取得情報を生成するチケット取得情報生成情報を格納するチケット取得情報生成情報格納手段と、を有するチケット提供装置と、前記携帯端末装置が前記チケット取得情報を有するか否かを解析するチケット取得情報解析情報を格納するチケット取得情報解析情報格納手段と、を有するチケット取得確認装置と、を有することを特徴とするチケット情報管理システムにより達成される。
【０００６】
第１の発明の構成によれば、前記タグ部は、情報の提供にチケットの取得が条件となっている要チケット情報が記載されている対象物に対して付されると共に、少なくとも前記チケットのチケット取得関連情報が格納されているチケット取得関連情報格納手段と、固有識別情報を格納する固有識別情報格納手段とを有する電子部品から成っている。
また、前記携帯端末装置は、前記タグ部と非接触で少なくとも前記チケット取得関連情報を受信可能なタグ通信手段を有している。
【０００７】
対象物である例えば、映画宣伝用ポスター等に、要チケット情報である例えば、映画上映情報が記載されている場合で、前記タグ部に格納されている前記チケット取得関連情報が例えば、映画鑑賞チケット購入情報である場合とすると、映画鑑賞チケットの購入情報を格納した前記タグ部を映画宣伝用ポスターに付することで、映画宣伝用ポスターを貼付できる場所であればどこでも、前記タグを配置することができる。
【０００８】
また、前記携帯端末装置は利用者が移動中に所持可能であり、前記タグ部に近接等させることで非接触で例えば、映画鑑賞チケット購入情報が取得可能な構成となっている。
このため、前記携帯端末装置を持った利用者が移動中に偶然、映画宣伝用ポスターを視認し、当該映画鑑賞チケットの購入を希望する場合は、前記携帯端末装置を前記タグ部に近接等することで非接触で映画鑑賞チケット購入情報を取得することができる。
【０００９】
また、前記携帯端末装置は、前記チケットの取得関連情報に基づき前記チケットの取得を求めるチケット要求情報を生成するチケット要求情報生成情報を格納するチケット要求情報生成情報格納手段を有する。
前記チケット提供装置は、前記携帯端末装置と通信可能な提供装置側通信手段と、前記携帯端末装置からの前記チケット要求情報に基づいて、前記携帯端末装置に送信するためのチケット取得情報を生成するチケット取得情報生成情報を格納するチケット取得情報生成情報格納手段と、を有する。
【００１０】
このため、前記携帯端末装置は、前記タグ部から取得した例えば、映画鑑賞チケット購入情報に基づいて前記チケット要求情報である例えば、映画鑑賞チケット購入要求情報を生成し、前記チケット提供装置に送信することが可能となっている。
一方、前記チケット提供装置は、前記携帯端末装置からの映画鑑賞チケット購入要求情報に基づいて、チケット取得情報、例えばチケット購入確認情報を生成して前記携帯端末装置に送信可能な構成となっている。
そして、前記携帯端末装置は、前記チケット提供装置からチケット購入確認情報を取得することで電子データである映画鑑賞チケットを購入できる構成となっている。
【００１１】
このように、例えばポスター等の対象物に記載されている映画上映等の情報を視認して、当該映画の映画鑑賞チケットの購入を希望する利用者は、自己が所持している前記携帯端末装置をポスター等に付してある前記タグ部に近づけて、その後、前記チケット提供装置に、チケット購入情報等を送信することで、前記チケット提供装置から映画鑑賞チケット等を電子データで入手することができる。
このため、前記チケットの取得を希望する利用者は、例えばチケット販売店を探すことなく、直ちに、希望するチケットを取得することが可能となる。したがって、利用者は希望するチケットの販売店等を探す必要がないので簡易且つ迅速にチケットを取得することができる。
【００１２】
また、前記タグ部は、電子部品等からなっているので、従来の２次元コードであるＱＲコード等と異なり、格納される情報が増加しても大型化することがない。さらに、前記タグ部は、前記固有識別情報である例えば、ユニークＩＤ等を有しているので、従来の２次元コードであるＱＲコード等と異なり容易に複製されることがないので、格納されている情報が簡単に盗まれることがない。
このため、前記タグ部を用いることにより小型で安全性が高いシステムとなっている。
【００１３】
また、本発明の構成によれば、例えば、チケットの販売等を行う販売業者等も、販売促進用のポスター等に前記タグ部を付するだけで、チケットの販売等を行うことができ、従来のように、チケットの販売等をするために販売店等を多数配置する必要がないので、チケット販売等のコストを大幅に低下させることができる。
【００１４】
ところで、本発明の構成によれば、前記チケット取得確認装置は、前記携帯端末装置が前記チケット取得情報を有するか否かを解析するチケット取得情報解析情報を格納するチケット取得情報解析情報格納手段を有している。
前記チケット取得確認装置は、例えば映画館等に配置され、前記携帯端末装置が前記チケット提供装置から取得した、例えばチケット購入確認情報等の前記チケット取得情報を解析し、チケット購入確認情報等の存在を確認することで利用者がチケットを購入したか否かを判断する構成となっている。
【００１５】
このように、前記チケット取得確認装置は、映画館等に入場する前記携帯端末装置の利用者が映画鑑賞チケット等を購入等したか否かを判断することができるので、利用者は紙等から成る映画鑑賞チケット等を所持することなく映画館等に入場することができる。
すなわち、利用者に紙製のチケットの所持を要求する必要がないので、利用者にとって使い易いシステムとなっている。
【００１６】
第２の発明によれば、第１の発明の構成において、前記タグ部の前記チケット取得関連情報には、前記要チケット情報の課金情報である要チケット情報課金情報が含まれ、前記携帯端末装置と通信可能な課金装置が接続され、前記携帯端末装置は、前記課金装置に対し送信する課金実行情報を生成する課金実行情報生成情報を格納する課金実行情報生成情報格納手段を有し、前記課金装置は、前記携帯端末装置からの前記課金実行情報に基づき、前記携帯端末装置に送信する、少なくとも課金確認情報を生成する課金確認情報生成情報を格納する課金確認情報生成情報格納手段を有し、前記携帯端末装置の前記チケット要求情報生成情報が、少なくとも前記タグ部から取得した前記チケット取得関連情報及び、前記課金装置から取得した前記課金確認情報に基づいて前記チケット要求情報を生成する構成となっていることを特徴とするチケット情報管理システムである。
【００１７】
第２の発明の構成によれば、前記タグ部の前記チケット取得関連情報には、前記要チケット情報の課金情報である要チケット情報課金情報が含まれている。また、前記携帯端末装置と課金装置は通信可能であるため、前記携帯端末装置は前記課金実行情報を前記課金装置に送信可能な構成となっている。
また、前記課金装置は、前記携帯端末装置からの前記課金実行情報に基づき、前記携帯端末装置に送信する、少なくとも課金確認情報を生成する課金確認情報生成情報を格納する課金確認情報生成情報格納手段を有する。
そして、前記携帯端末装置の前記チケット要求情報生成情報が、少なくとも前記タグ部から取得した前記チケット取得関連情報及び、前記課金装置から取得した前記課金確認情報に基づいて前記チケット要求情報を生成する構成となっている。
【００１８】
このため、前記携帯端末装置は、前記課金装置の前記課金確認情報に基づき前記チケット要求情報を生成するので、課金が確認される前に、前記チケット要求情報が前記チケット提供装置に送信されることが未然に防止され、課金を確実に行うことができる。
【００１９】
第３の発明によれば、第１又は第２の発明の構成において、前記チケット取得確認装置と前記携帯端末装置とは、非接触で通信可能な構成となっていることを特徴とするチケット情報管理システムである。
【００２０】
第３の発明の構成によれば、前記チケット取得確認装置と前記携帯端末装置とは、非接触で通信可能な構成となっている。このため、前記チケット取得確認装置が前記携帯端末装置内に前記チケット取得情報を有しているか否かを非接触で解析することができるので、解析を迅速に行うことができる。
【００２１】
前記課題は、第４の発明によれば、情報の提供にチケットの取得が条件となっている要チケット情報及び前記チケットに関するチケット関連情報を格納するチケット関連情報格納手段と、電子部品から成り固有識別情報を有するタグ部から携帯端末装置が取得した少なくともチケット取得関連情報に基づいて、前記携帯端末装置が生成したチケット要求情報を取得するチケット要求情報取得手段と、前記携帯端末装置から取得したチケット要求情報と前記チケット関連情報格納手段内の前記チケット関連情報に基づいて、チケット取得情報を生成するチケット取得情報生成情報を格納するチケット取得情報生成情報格納手段と、前記チケット取得情報を前記携帯端末装置に送信するチケット取得情報送信手段と、を有することを特徴とするチケット提供装置により達成される。
【００２２】
第４の発明の構成によれば，第１の発明の構成と同様に、前記タグ部を用いるので小型で安全性が高く、且つ利用者が前記携帯端末装置で、チケット情報を迅速且つ容易に取得することができるチケット提供装置となる。
また、例えば、チケットの販売等を行う販売業者等も、前記チケット提供装置を配置して、販売促進用のポスター等に前記タグ部を付するだけで、チケットの販売等を行うことができる。このため、従来のように、チケットの販売等をするために販売店等を多数配置する必要がないので、チケット販売等のコストを大幅に低下させることができる。
【００２３】
前記課題は、第５の発明によれば、情報の提供にチケットの取得が条件となっている要チケット情報が記載されている対象物に対して付されると共に、少なくとも前記チケットのチケット取得関連情報がチケット取得関連情報格納手段に格納され、固有識別情報を有し、電子部品から成るタグ部から、携帯端末装置のタグ通信手段が非接触で前記チケット取得関連情報を取得するチケット取得関連情報入手工程と、前記携帯端末装置が、前記チケットの取得関連情報に基づき前記チケットの取得を求めるチケット要求情報を生成するチケット要求情報生成工程と、前記携帯端末装置が、前記チケット要求情報生成工程で生成された前記チケット要求情報をチケット提供装置へ送信するチケット要求情報送信工程と、前記チケット提供装置が、前記携帯端末装置からの前記チケット要求情報に基づいて、前記携帯端末装置に送信するための、少なくともチケット取得情報を生成するチケット取得情報生成工程と、チケット取得確認装置が、前記携帯端末装置が前記チケット取得情報を有するか否かをチケット取得情報解析情報で解析するチケット取得情報解析工程と、を有することを特徴とするチケット情報管理方法により達成される。
【００２４】
第５の発明の構成によれば、第１の発明の構成と同様に、前記タグ部を用いるので小型で安全性が高く、且つ利用者が前記携帯端末装置で、チケット情報を迅速且つ容易に取得することができるチケット情報管理方法となる。
【００２５】
前記課題は、第６の発明によれば、チケット要求情報取得手段が、電子部品から成り固有識別情報を有するタグ部から携帯端末装置が取得した少なくともチケット取得関連情報に基づいて、前記携帯端末装置が生成したチケット要求情報を取得するチケット要求情報取得工程と、前記携帯端末装置から取得したチケット要求情報と、チケット関連情報格納手段に格納されていると共に、情報の提供にチケットの取得が条件となっている要チケット情報及び前記チケットに関するチケット関連情報とに基づいて、チケット取得情報を生成するチケット取得情報生成工程と、チケット取得情報送信手段が、前記チケット取得情報を前記携帯端末装置に送信するチケット取得情報送信工程と、を有することを特徴とするチケット提供装置の制御方法により達成される。
【００２６】
第６の発明の構成によれば、第４の発明の構成と同様に、前記タグ部を用いるので小型で安全性が高く、且つ利用者が前記携帯端末装置で、チケット情報を迅速且つ容易に取得することができるチケット提供装置の制御方法となる。
また、例えば、チケットの販売等を行う販売業者等も、前記チケット提供装置を配置して、販売促進用のポスター等に前記タグ部を付するだけで、チケットの販売等を行うことができる。このため、従来のように、チケットの販売等をするために販売店等を多数配置する必要がないので、チケット販売等のコストを大幅に低下させることができる。
【００２７】
前記課題は、第７の発明によれば、コンピュータに、チケット要求情報取得手段が、電子部品から成り固有識別情報を有するタグ部から携帯端末装置が取得した少なくともチケット取得関連情報に基づいて、前記携帯端末装置が生成したチケット要求情報を取得するチケット要求情報取得工程と、前記携帯端末装置から取得したチケット要求情報と、チケット関連情報格納手段に格納されていると共に、情報の提供にチケットの取得が条件となっている要チケット情報及び前記チケットに関するチケット関連情報とに基づいて、チケット取得情報を生成するチケット取得情報生成工程と、チケット取得情報送信手段が、前記チケット取得情報を前記携帯端末装置に送信するチケット取得情報送信工程と、を実行させるためのチケット提供装置の制御プログラムにより達成される。
【００２８】
第７の発明の構成によれば、第４の発明の構成と同様に、前記タグ部を用いるので小型で安全性が高く、且つ利用者が前記携帯端末装置で、チケット情報を迅速且つ容易に取得することができるチケット提供装置の制御プログラムとなる。
また、例えば、チケットの販売等を行う販売業者等も、前記チケット提供装置を配置して、販売促進用のポスター等に前記タグ部を付するだけで、チケットの販売等を行うことができる。このため、従来のように、チケットの販売等をするために販売店等を多数配置する必要がないので、チケット販売等のコストを大幅に低下させることができる。
【００２９】
前記課題は、第８の発明によれば、コンピュータに、チケット要求情報取得手段が、電子部品から成り固有識別情報を有するタグ部から携帯端末装置が取得した少なくともチケット取得関連情報に基づいて、前記携帯端末装置が生成したチケット要求情報を取得するチケット要求情報取得工程と、前記携帯端末装置から取得したチケット要求情報と、チケット関連情報格納手段に格納されていると共に、情報の提供にチケットの取得が条件となっている要チケット情報及び前記チケットに関するチケット関連情報とに基づいて、チケット取得情報を生成するチケット取得情報生成工程と、チケット取得情報送信手段が、前記チケット取得情報を前記携帯端末装置に送信するチケット取得情報送信工程と、を実行させるためのチケット提供装置の制御プログラムを記録したコンピュータ読み取り可能な記録媒体により達成される。
【００３０】
第８の発明の構成によれば、第４の発明の構成と同様に、前記タグ部を用いるので小型で安全性が高く、且つ利用者が前記携帯端末装置で、チケット情報を迅速且つ容易に取得することができるチケット提供装置の制御プログラムとなる。
また、例えば、チケットの販売等を行う販売業者等も、前記チケット提供装置を配置して、販売促進用のポスター等に前記タグ部を付するだけで、チケットの販売等を行うことができる。このため、従来のように、チケットの販売等をするために販売店等を多数配置する必要がないので、チケット販売等のコストを大幅に低下させることができる。
【発明を実施するための最良の形態】
【００３１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３２】
（第１の実施の形態）
図１は、本発明のチケット情報管理システムの第１の実施の形態である映画鑑賞チケット管理システム１０を示す概略図である。
（映画鑑賞チケット管理システム１０の構成の概略について）
図１に示すように、映画鑑賞チケット管理システム１０は、映画上映情報が記載されている対象物である例えば、ポスター１１を含んでいる。この映画上映情報は、情報の提供にチケットの取得が条件となっている要チケット情報の一例である。
ポスター１１には、タグ部である例えば、ＲＦタグ（Ｒａｄｉｏ  Ｆｒｅｑｕｅｎｃｙ）１００が付されている。
【００３３】
映画鑑賞チケット管理システム１０は、携帯端末装置である例えば、携帯電話２００を含んでいる。携帯電話２００には、ポスター１１に付されたＲＦタグ１００と非接触で、ＲＦタグ１００に格納された情報を受信可能なタグ通信手段である例えば、端末側タグリーダ装置２３０を有している。
携帯電話は２００は、電話通信するためのアンテナを含む端末側通信装置２０１を有している。このため、携帯電話２００は、図１に示すように基地局１２を介して電話通信可能な構成となっている。
また、携帯電話２００は、赤外線通信可能な端末側赤外線通信装置２５０を有しており、他の赤外線通信装置と非接触で通信可能な構成となっている。
【００３４】
また、映画鑑賞チケット管理システム１０は、チケット提供装置である例えば、チケット販売会社サーバ３００を含んでおり、チケット販売会社サーバ３００は、インターネット網１４及び基地局１２を介して携帯電話２００と通信可能な構成となっている。
【００３５】
また、映画鑑賞チケット管理システム１０は、映画館１３に配置されるチケット取得確認装置である例えば、映画館チケットサーバ４００を含んでいる。映画館チケットサーバ４００には、非接触で赤外線通信が可能な受付側赤外線通信装置４３０が接続されている。
受付側赤外線通信装置４３０は、例えば、映画館の受付窓口に配置され、図１に示す携帯電話２００の端末側赤外線通信装置２５０を受付側赤外線通信装置４３０に近づけることで、非接触で情報の授受である通信が可能な構成となっている。このため、携帯電話２００と映画館チケットサーバ４００とは、端末側赤外線通信装置２５０及び受付側赤外線通信装置４３０を介して通信可能な構成となっている。
【００３６】
また、映画鑑賞チケット管理システム１０は、課金装置である例えば、クレジットカード会社課金サーバ５００及び電話会社課金サーバ６００を有している。
クレジットカード会社課金サーバ５００は、例えば、クレジット会社内に設置され、図１に示すように、インターネット網１４及び基地局１２を介して携帯電話２００と接続され通信可能な構成となっている。
電話会社課金サーバ６００は、例えば、電話会社内に設置され、基地局１２を介して携帯電話２００と接続され通信可能な構成となっている。
【００３７】
（ポスター１１及びＲＦタグ１００の主なハードウエア構成について）
ポスター１１は、例えば、映画の上映の際に宣伝用に配布されるものであり、その表面には映画の題名、見所の紹介、上映館の名称や場所、上映館における上映期間、及び映画鑑賞チケットの料金等の情報が記載されている。
また、ポスター１１には、利用者が映画鑑賞チケットの購入意欲を惹起させるようなデザインが施されている。
【００３８】
ポスター１１の例えば、右下隅にはＲＦタグ１００が付されている。ＲＦタグ１００は電子部品からなっているので各種情報を格納しても、２次元コードのＱＲコードと異なり大型化することはない。このため、ＲＦタグ１００をポスター１１に付しても、ポスター１１に施したデザインを阻害するおそれがない。
【００３９】
図２は、図１のＲＦタグ１００の主なハードウエア構成を示す概略図である。図２に示すように、ＲＦタグ１００は、例えば塩化ビニールからなるタグ本体１０１に、各種情報を格納するためのＩＣ（集積回路）チップ１０２が配置されると共に、アンテナ部１０４を有している。
すなわち、ＲＦタグ１００は、ＲＦＩＤ（Ｒａｄｉｏ  Ｆｒｅｑｕｅｎｃｙ  Ｉｄｅｎｔｉｆｉｃａｔｉｏｎ：無線を用いた自動認識）を利用しているため、アンテナ部１０４を介して非接触で通信することが可能な構成となっている。
【００４０】
（携帯電話２００の主なハードウエア構成について）
図３は、図２の携帯電話２００の主なハードウエア構成を示す概略図である。
図３に示すように、携帯電話２００は、例えばコンピュータ等を有している。具体的には、例えばバス２０２にＣＰＵ（Ｃｅｎｔｒａｌ  Ｐｒｏｃｅｓｓｉｎｇ  Ｕｎｉｔ）２０３、ＲＡＭ（Ｒａｎｄｏｍ  Ａｃｃｅｓｓ  Ｍｅｍｏｒｙ）２０４、ＲＯＭ（Ｒｅａｄ  Ｏｎｌｙ  Ｍｅｍｏｒｙ）２０５等が接続されている。
バス２０２はすべてのデバイスを接続する機能を有し、ＣＰＵ２０３は所定のプログラムの処理を行う他、バス２０２に接続された記憶手段であるＲＯＭ２０５等を制御する。ＲＯＭ２０５は、各種プログラムや各種情報等を格納している。
ＲＡＭ２０４は、プログラム処理中のメモリの内容を対比したり、プログラムを実行するためのエリアとして機能する。
【００４１】
また、バス２０２には、テンキー等の入力装置２０６、文字や数字等を液晶表示等させるディスプレイ２０７が接続されていると共に、図１で示した、端末側タグリーダ装置２３０、端末側赤外線通信装置２５０及び端末側通信装置２０１も接続されている。
したがって、端末側タグリーダ装置２３０、端末側赤外線通信装置２５０及び端末側通信装置２０１はコンピュータにより制御されている。
【００４２】
（映画館チケットサーバ４００の主なハードウエア構成について）
図４は、映画館チケットサーバ４００の主なハードウエア構成を示す概略図である。図４に示すように、映画館チケットサーバ４００は、例えば、コンピュータを有しており、図３の携帯電話２００と同様に、ＣＰＵ２０３、ＲＡＭ２０４、ＲＯＭ２０５、入力装置２０６、ディスプレイ２０７を有している。
【００４３】
映画館チケットサーバ４００は、携帯電話２００と異なり、各種の情報を格納するハードディスク４０１を有するため、より大量の情報を格納可能な構成となっている。
映画館チケットサーバ４００の入力装置２０６は、携帯電話２００より大型のキーボード等であり、ディスプレイ２０７も携帯電話２００より大型となっている。
また、映画館チケットサーバ４００のバス２０２には、図１にも示した受付装置側赤外線通信装置４３０が接続されている。このため、受付側赤外線通信装置４３０も映画館チケットサーバ４００のコンピュータにより制御される構成となっている。
【００４４】
（チケット販売会社サーバ３００等の主なハードウエア構成について）
図５は、チケット販売会社サーバ３００等の主なハードウエア構成を示す概略図である。図１に示す、クレジットカード課金サーバ５００及び電話会社課金サーバ６００の主なハードウエア構成も、チケット販売会社サーバ３００とほぼ同様な構成であるため、以下、チケット販売会社サーバ３００についてのみ説明し、クレジットカード課金サーバ５００及び電話会社課金サーバ６００については説明を省略する。
【００４５】
図５に示すように、チケット販売会社サーバ３００は、図４の映画館チケットサーバ４００と同様に、ＣＰＵ２０３、ＲＡＭ２０４、ＲＯＭ２０５、入力装置２０６、ディスプレイ２０７及びハードディスク４０１を有する。
しかし、チケット販売会社サーバ３００は、映画館チケットサーバ４００と異なり、図１に示すインターネット網１４と接続するための提供装置側通信手段である通信装置３０１を有している。
このため、チケット販売会社サーバ３００は、図１に示す、インターネット網１４及基地局１２を介して携帯電話２００と通信可能な構成となっている。
なお、図１の電話会社課金サーバ６００はインターネット網１４ではなく基地局１２と接続されているため、通信装置３０１はなく、基地局１２を介して携帯電話２００と通信可能な構成となっている。
【００４６】
（ＲＦタグ１００の主なソフトウエア構成について）
図６は、ＲＦタグ１００の主なソフトウエア構成を示す概略図である。図６に示すように、ＲＦタグ１００のチケット取得関連情報格納手段である例えば、ＩＣチップ１０２には、チケット取得関連情報である例えば、映画関連情報１０３が格納されている。
具体的には、ポスター１１に記載されている映画を特定するための映画ＩＤ情報１０３ａや当該映画の映画鑑賞チケットを販売している図１に示すチケット販売会社サーバ３００への接続情報（ホームページ等情報）であるチケット販売会社サーバ情報１０３ｂが格納されている。
また、映画関連情報１０３として、要チケット情報の課金情報である例えば、当該映画鑑賞チケットの料金に関する映画鑑賞チケット料金情報１０３ｃ（例えば、２０００円）や、ポスター１１に記載されている映画館における当該映画の上映期間の情報である映画上映期限情報１０３ｄが格納されている。
【００４７】
また、図６のＩＣチップ１０２には、ＲＦタグ固有ＩＤ情報１０７が格納されているため、ＩＣチップ１０２内の情報を容易に複製することができない構成となっている。
すなわち、ＩＣチップ１０２は固有識別情報格納手段の一例であり、ＲＦタグ固有ＩＤ情報１０７が固有識別情報の一例となっている。
【００４８】
（携帯電話２００の主なソフトウエア構成について）
図７は携帯電話２００の主なソフトウエア構成を示す概略図である。図７に示すように、携帯電話２００は、全体を制御する携帯制御部２０８を有している。また、携帯電話２００には、図３に示す端末側通信装置２０１、ディスプレイ２０７、入力装置２０６、端末側タグリーダ装置２３０及び端末側赤外線通信装置２５０をそれぞれ制御する端末側通信装置管理部２０１ａ、ディスプレイ管理部２０７ａ、入力装置管理部２０６ａ、端末側タグリーダ装置管理部２３０ａ及び端末側赤外線通信装置管理部２５０ａを有している。
【００４９】
また、携帯電話２００は、図７に示すように、図１の端末側タグリーダ装置２３０がＲＦタグ１００から取得した図６に示す映画関連情報１０３を解析するＲＦタグ情報解析データを格納するＲＦタグ情報解析用データファイル２０９を有している。
また、携帯電話２００は、ＲＦタグ１００から取得した映画関連情報１０３を登録するためのＲＦタグ情報登録用データファイル２１０を有している。
また、携帯電話２００は、ＲＦタグ１００から取得した映画関連情報１０３の映画鑑賞チケット料金情報１０３ｃを図３のディスプレイ２０７に表示するための料金表示画面生成用データファイル２１１を有している。
また、携帯電話２００は、その利用者に対し課金実行の意思等を確認するための意思確認画面をディスプレイ２０７に表示するための意思確認画面生成用データファイル２１２を有している。
【００５０】
また、携帯電話２００は、例えば、クレジットカード払い又は通話料金払い等の課金方法のデータを有する課金方法データファイル２１３を有している。
また、携帯電話２００は、利用者がクレジットカード払いを選択し、カード情報を入力した後、当該カード情報の認証を図１のクレジットカード会社課金サーバ５００に要求するためのカード認証要求情報を生成するカード認証要求情報生成用データファイル２１４を有している。
【００５１】
カード認証要求情報を送信した携帯電話２００は、クレジットカード会社課金サーバ５００から認証成功である旨のカード認証結果情報を受信すると、クレジットカード会社課金サーバ５００に対し利用者のクレジットカードによる課金を実行するための課金実行情報を送信する。
このため、携帯電話２００は、この課金実行情報を生成するための課金実行情報生成用データファイル２１５を有している。
なお、後述のように、図１の電話会社課金サーバ６００に課金実行情報を送信する場合は、クレジットカードの認証が不要なため、カード認証要求情報は送信されない。
【００５２】
また、携帯電話２００は、後述のように、図１のクレジットカード会社課金サーバ５００等が課金実行情報に対応して課金を終了した旨の課金確認情報を受信する。このため、携帯電話２００には、受信した課金確認情報を登録するための課金確認情報登録用データファイル２２０を有している。
また、携帯電話２００は、携帯電話２００の電話番号等のＩＤ情報を格納する携帯電話ＩＤ情報登録用データファイル２２１を有する。
【００５３】
また、携帯電話２００は、ＲＦタグ１００から取得した図６の映画関連情報１０３、図７の課金確認情報登録用データファイル２２０内の課金確認情報及び、図７の携帯電話ＩＤ情報登録用データファイル２２１とに基づいて、図１のポスター１１の映画の映画鑑賞チケットを図１のチケット販売会社サーバ３００に求めるためのチケット要求情報を生成するチケット要求情報生成用データファイル２１６（チケット要求情報生成情報格納手段の一例）を有している。
すなわち、チケット要求情報には、図６の映画ＩＤ情報１０３ａのみならず、図７の課金確認情報登録用データファイル２２０内の課金確認情報や、携帯電話ＩＤ情報登録用データファイル２２１が含まれる。
また、携帯電話２００は、図６の映画関連情報１０３のチケット販売会社サーバ情報１０３ｂに基づいて、チケット販売会社サーバ情報１０３ｂに含まれるホームページ等にアクセスし、チケット要求情報をチケット販売会社サーバ３００へ送信する。
【００５４】
また、携帯電話２００は、前記チケット要求情報に基づき、図１のチケット販売会社サーバ３００が携帯電話２００に送信するチケット購入確認情報を格納するチケット購入情報登録用データファイル２１７を有している。
さらに、携帯電話２００が図１の映画館で入場等したときに、前記購入したチケット購入情報にチケット使用済み情報を付加等するためのチケット使用済み情報生成用データファイル２１８を有する。
また、携帯電話２００は、使用済み情報生成用データファイル２１８で生成されたチケット使用済み情報を登録するチケット使用済み情報登録用データファイル２１９を有している。
【００５５】
（チケット販売会社サーバ３００の主なソフトウエア構成について）
図８（ａ）は、チケット販売会社サーバ３００の主なソフトウエア構成を示す概略図である。図８（ａ）に示すように、チケット販売会社サーバ３００は、図５の通信装置３０１を制御するウエブ管理部３０１ａ及び電子メール管理部３０１ｂを有している。
これにより、チケット販売会社サーバ３００は、図１のインターネット網１４を介して携帯電話２００との間で電子メール等を送受信することが可能となっている。
【００５６】
また、チケット販売会社サーバ３００は、全体を制御する販売会社サーバ制御部３０２を有すると共に、図６の映画関連情報１０３、例えば映画ＩＤ情報１０３ａに対応する映画鑑賞チケットに関する情報等が格納されているチケット情報データベース３０３を有している。
【００５７】
図８（ｂ）は、チケット情報データベース３０３のデータ例を示す概略図である。図８（ｂ）に示すように、チケット情報データベース３０３では、映画の情報に対応した映画コンテンツ情報が格納されている。このため、例えば、映画ＩＤ情報１０３ａ（図６参照）が「０００１」の場合は、コンテンツは「Ａ映画」となっている。
また、携帯電話ＩＤ情報も「Ａ映画」と関連付けて登録可能に構成される。例えば、携帯電話ＩＤ情報が「携帯電話の電話番号」である場合は、「携帯電話の電話番号」が「Ａ映画」と関連付けて登録される構成となっている。
【００５８】
また、チケット販売会社サーバ３００は、図７の携帯電話２００のチケット要求情報生成用データファイル２１６で生成されたチケット要求情報に基づき、携帯電話２００に送信するためのチケット購入情報を生成するチケット購入情報生成用データファイル３０４を有している。
チケット購入情報生成用データファイル３０４は、チケット取得情報生成情報格納手段
の一例であり、チケット購入情報はチケット取得情報の一例となっている。
【００５９】
すなわち、チケット販売会社サーバ３００は、携帯電話２００から取得した図１のポスター１１の映画に関するＲＦタグ１００内に格納された映画ＩＤ情報１０３ａに基づき、チケット情報データベース３０３から当該映画鑑賞チケットの情報を抽出する。そして、チケット購入情報生成用データファイル３０４がチケット購入情報を生成する。
具体的には、映画ＩＤ情報１０３ａが「０００１」のときは、携帯電話２００が取得を要求しているのが「映画Ａ」と判断し、「映画Ａ」の映画鑑賞チケットのチケット購入情報を生成する。
【００６０】
このとき、チケット情報データベース３０３には、図８（ｂ）に示すように映画鑑賞チケットを発行した携帯電話２００の電話番号等ＩＤ番号、例えば電話番号が登録される。
また、上述のように、携帯電話２００から送信されるチケット要求情報には、クレジットカード会社課金サーバ５００が送信した課金を終了した旨の課金確認情報が添付される。このため、チケット販売会社サーバ３００は、課金を確認した後に、チケット購入情報を生成できるので、確実に課金を行うことができる。
【００６１】
（クレジットカード会社課金サーバ５００の主なソフトウエア構成について）    
図９（ａ）はクレジットカード会社課金サーバ５００の主なソフトウエア構成を示す概略図である。図９（ａ）に示すように、クレジットカード会社課金サーバ５００には、図８（ａ）のチケット販売会社サーバ３００と同様に、ウエブ管理部３０１ａ及び電子メール管理部３０１ｂを有している。このため、クレジットカード会社課金サーバ５００は、インターネット網１４及び基地局１２を介して携帯電話２００との間で電子メール等を送受信可能な構成となっている。
【００６２】
クレジットカード会社課金サーバ５００は、サーバの全体を制御するカード会社サーバ制御部５０１を有する。また、クレジットカード会社課金サーバ５００は、クレジットカードの保持者に関するカード情報を格納するカード情報データベース５０２を有している。
図９（ｂ）はカード情報データベース５０２内のデータ例を示す概略図である。図９（ｂ）に示すように、カード情報データベース５０２には、クレジットカードの番号に対応した氏名情報、暗証番号情報等が格納されている。
【００６３】
クレジットカード会社課金サーバ５００には、携帯電話２００の図７に示すカード認証要求情報生成用データファイル２１４で生成されたカード認証要求情報に対応してカード認証要求情報を判断するためのカード認証要求判断用データを格納するカード認証要求判断用データファイル５０３を有している。
クレジットカード会社課金サーバ５００は、カード認証要求判断用データに基づき判断する。具体的には、携帯電話２００から送信されたカード認証要求情報に含まれるクレジットカード番号、氏名、暗証番号等の情報を、図９（ｂ）のカード情報データベース５０２と比較する。
比較結果（認証成功又は認証失敗）であるカード認証結果情報は、図９のカード認証結果情報生成用データファイル５０４で生成され、携帯電話２００へ送信される。
【００６４】
カード認証結果情報を受信した携帯電話２００は、上述のように図７の課金実行情報生成用データファイル２１５により課金実行情報を生成して、クレジットカード会社課金サーバ５００に送信する。
図９（ａ）のクレジットカード会社課金サーバ５００は課金実行情報を受信すると課金実行を行う。具体的には、図９（ｂ）のカード情報データベース５０２内の利用者のクレジット番号について課金を実行する。
課金実行が終了すると、クレジットカード会社課金サーバ５００は、図９（ａ）に示す課金確認情報生成用データファイル５０５に基づき課金確認情報を生成し、携帯電話２００へ送信する。
【００６５】
（電話会社課金サーバ６００の主なソフトウエア構成について）
図１０（ａ）は、電話会社課金サーバ６００の主なソフトウエア構成を示す概略図である。図１０（ａ）に示すように、電話会社課金サーバ６００は、基地局１２と通信管理部６０１を介して通信すると共に、サーバの全体を制御する電話会社サーバ制御部６０２を有している。
電話会社課金サーバ６００は、携帯電話２００等の電話加入者に関する利用者データベース６０３を有している。図１０（ｂ）は、利用者データベース６０３のデータ例を示す概略図である。
図１０（ｂ）に示すように、利用者データベース６０３には、利用者の氏名情報、電話番号情報、料金請求方法等のデータが格納されている。
携帯電話２００の利用者が図７の課金方法データファイル２１３で生成され、ディスプレイ２０７に表示された課金方法で、「通話料金支払い」を選択した場合は、携帯電話２００は、図７の課金実行情報生成用データファイル２１５で生成された課金実行情報を電話会社課金サーバ６００へ送信する。
携帯電話２００からの課金実行情報を受信した電話会社課金サーバ６００は、図１０（ｂ）の利用者データベース６０３の携帯電話２００の電話番号の口座等に対して課金を実行する。
電話会社課金サーバ６００は、課金実行が終了すると、図１０（ａ）の課金確認情報生成用データファイル６０４に基づき課金確認情報を生成し、携帯電話２００へ送信する。
【００６６】
（映画館チケットサーバ４００及び受付側赤外線通信装置管理部４３０ａの主なソフトウエア構成について）
図１１は、図１の映画館１３に配置されている映画館チケットサーバ４００及び受付側赤外線通信装置４３０の主なソフトウエア構成を示す概略図である。
図１１に示すように、映画館チケットサーバ４００は、サーバの全体を制御する映画館サーバ制御部４０２を有すると共に、図７の携帯電話２００と同様に、ディスプレイ管理部２０７ａや入力装置管理部２０６ａを有している。
また、図４の受付側赤外線通信装置４３０を制御するための受付側赤外線通信装置管理部４３０ａも映画館チケットサーバ４００に接続されている。
【００６７】
このため、携帯電話２００の利用者が、チケット販売会社サーバ３００からチケット購入情報を取得して、このチケット購入情報を、携帯電話２００の端末側赤外線通信装置２５０から図４に示すように受付側赤外線通信装置４３０へ送信すると、映画館チケットサーバ４００はこのチケット購入情報を取得する。
このように取得されたチケット購入情報は、図１１に示すチケット情報解析用データファイル４０３内のチケット情報解析用データにより解析される。チケット情報解析用データは、チケット取得情報解析情報の一例であり、チケット情報解析用データファイル４０３は、チケット取得情報解析情報格納手段の一例である。
具体的には、例えば、チケット販売会社サーバ３００が送信するチケット購入情報と同一の情報がチケット情報解析用データとなっている。このため、携帯電話２００から入手したチケット購入情報が、そのチケット情報解析用データと同一のデータか否かを判断することで解析する。
また、チケット情報解析用データファイル４０３は、チケット取得情報格納手段の一例である。
【００６８】
また、映画館チケットサーバ４００には、チケット情報解析用データにより解析された判断結果であるチケット確認／拒絶情報を生成するためのチケット確認／拒絶情報生成用データファイル４０４を有する。
チケット確認／拒絶情報は、図４のディスプレイ２０７に表示され、映画館１３の受付担当者に告知されることになる。
このため、受付担当者はチケット確認情報を見たときは、映画鑑賞チケットの半券を携帯電話２００の所持者に渡すことができる。一方、受付担当者がチケット拒絶情報を見たときは、映画鑑賞チケットの半券を渡さないとすることができる。
したがって、映画を鑑賞するために映画館へ入場しようとする利用者は、受付で列をなして待った後に、料金の支払い等の手続をすることなく、迅速に入場することができる。
【００６９】
本実施の形態の映画鑑賞チケット管理システム１０は、以上のように構成されている。このため、上映するＡ映画の映画鑑賞チケットを販売しているチケット販売会社は、チケット販売会社サーバ情報等の映画関連情報１０３を格納したＲＦタグ１００を、映画宣伝用ポスター１１に付け、各所に貼ることができる。
そして、携帯電話２００を所持している利用者が、移動中に偶然、このようなポスター１１をみて、映画鑑賞チケットを購入したいと思ったときは、自己が所持している携帯電話２００の端末側タグリーダ装置２３０をＲＦタグ１００に近づけるだけで、映画鑑賞チケットの購入に必要な映画関連情報１０３が直ちに入手できる。
そして、その場所でチケット販売会社サーバ３００にアクセスすることで、利用者は直ちにＡ映画の映画鑑賞チケットを入手することができる。
【００７０】
このように、ポスター１１を見てＡ映画の映画鑑賞チケットの入手を希望する利用者は、映画鑑賞チケットの販売店を探すことなく、直ちにＡ映画の映画鑑賞チケットを入手することができるので、携帯電話２００の利用者は迅速且つ簡易に映画鑑賞チケットを取得することができる。
【００７１】
また、Ａ映画の映画鑑賞チケットを販売するチケット販売会社も、係員を配置してコストがかかる販売店を多数設置することなく、ポスター１１を多数、各所に貼付することでより効果的に映画鑑賞チケットを販売することができるので、映画鑑賞チケットの販売コストを大幅に低下させることができる。
【００７２】
ＲＦタグ１００は小型で複製されにくいので、ポスター１１に付けて各所に配置しても情報を盗まれることがなく安全性が高いシステムとなる。さらに、ＲＦタグ１００は小型なので、ポスター１１に付けてもポスターのデザインを阻害する虞も小さい。
【００７３】
映画館１３も入場希望者の各々に映画鑑賞チケットを販売し、料金の授受をすることなく、利用者の携帯電話２００のチケット購入情報を受付側赤外線通信装置４３０で受信するだけで、自動的に判断されるので、映画館１３の人員を減らすことができ、コストを大幅に下げることができる。
また、映画館１３に入場しようとする利用者も、紙製の映画鑑賞チケットを所持する必要がないので使い易いシステムとなる。
【００７４】
また、本実施の形態では、携帯電話２００とＲＦタグ１００の間及び、携帯電話２００と映画館１３の受付側赤外線通信装置４３０との間は、非接触で情報の授受等を行うので、情報の授受を迅速に行うことができる。
【００７５】
（映画鑑賞チケット管理システム１０の動作等のうち、映画鑑賞チケット取得工程について）
図１２及び図１３は、映画鑑賞チケット管理システム１０の動作等のうち、映画鑑賞チケット取得工程を示す概略フローチャートである。
本例では、携帯電話２００の所持者である利用者（甲）が、Ａ映画のポスターを見て、Ａ映画の映画鑑賞チケットの入手を希望していることを前提として、以下説明を行う。
先ず、利用者（甲）は、自己の有する携帯電話２００の端末側タグリーダ装置２３０を、図１に示すようにＡ映画のポスター１１のＲＦタグ１００に非接触で近づける。
すると、携帯電話２００のタグリーダ装置２３０は、ＲＦタグ１００からＡ映画の映画ＩＤ情報１０３ａ、Ａ映画の映画鑑賞チケットを販売しているチケット販売会社サーバ情報１０３ｂ（ホームページ等の情報）、Ａ映画の映画鑑賞チケット料金情報１０３ｃ及びＡ映画の映画上映期限情報１０３ｄ（図６参照）を入手する（ＳＴ１及びＳＴ２）（チケット取得関連情報入手工程の一例）。
【００７６】
このように入手したＡ映画の映画ＩＤ情報１０３ａ等の映画関連情報１０３は、図７のＲＦタグ情報登録用データファイル２１０に登録される。そして、携帯電話２００は入手した映画関連情報１０３が映画鑑賞チケットの購入情報か否か、そしてＡ映画の映画上映期限情報１０３ｄから上映が未だ終了していないかを判断する（ＳＴ３）。
具体的には、図７のＲＦタグ情報解析用データファイル２０９を用いて行う。
【００７７】
次に、携帯電話２００は、映画関連情報１０３のＡ映画の映画鑑賞チケット料金情報１０３ｃと、購入意思確認情報をディスプレイ２０７に表示する（ＳＴ４）。
具体的には、図１２に示すように「料金は２０００円です、チケットを購入しますか？」という画面が表示される。
購入意思確認情報は、図７の意思確認画面生成用データファイル２１２等に基づき生成される。
【００７８】
ＳＴ５の購入意思確認で、図１２の「ＮＯ」を選択すると本フローは終了する。「ＹＥＳ」を選択すると、携帯電話２００のディスプレイ２０７に課金方法が画面に表示される（ＳＴ６）。
具体的には、図１２に示すように「課金方法はクレジットカード払い、通話料金払いです。」と表示され、利用者がいずれかを選択することとなる。
具体的には、図７の課金方法データファイル２１３等を用いて表示される。
【００７９】
ＳＴ６でクレジットカード払いを選択すると（ＳＴ７）、ＳＴ８へ進み、カード情報入力画面が携帯電話２００のディスプレイ２０７に表示される（ＳＴ８）。
具体的には、図１３に示すように「カード情報を入力してください。氏名、カードＮｏ．暗証Ｎｏ．」と表示される。
【００８０】
利用者（甲）がカード情報の入力を終了すると携帯電話２００は、入力されたカード情報に基づいてカード認証要求情報を生成して、図１のクレジットカード会社課金サーバ５００へ送信する（ＳＴ９）。
具体的には、図７のカード認証要求情報生成用データファイル２１４等を用いて行う。
【００８１】
図９（ａ）のクレジットカード会社課金サーバ５００は、カード情報データベース５０２を参照し、入力されたカード情報が正しいか否かを判断し、カード認証結果情報を生成し携帯電話２００へ送信する（ＳＴ１０）。
具体的には図９（ａ）のカード認証要求判断用データファイル５０３及びカード認証結果情報生成用データファイル５０４等に基づき行われる。すなわち、図９（ｂ）の登録情報と入力情報が一致するか否かを判断する。
【００８２】
カード認証結果情報が認証失敗の場合は、携帯電話２００は利用者（甲）にカード情報の再入力を促し、認証成功の場合は次へ進む（ＳＴ１１）。
携帯電話２００は、課金実行情報を生成し、クレジットカード会社課金サーバ５００へ送信する（ＳＴ１２）。
具体的には、図７の課金実行情報生成用データファイル２１５等を用いて課金実行情報を生成する。
【００８３】
携帯電話２００からの課金実行情報を受信したクレジットカード会社課金サーバ５００は、携帯電話２００の利用者（甲）について課金を行い、課金が終了すると課金確認情報を生成し、携帯電話２００へ送信する（ＳＴ１３）。
具体的には、クレジットカード会社課金サーバ５００は、図９（ｂ）のカード情報データベース５０２の利用者（甲）の口座等に対して課金処理を行い、課金処理が終了すると課金確認情報生成用データファイル５０５等に基づき課金確認情報を生成する。
【００８４】
次に、クレジットカード会社課金サーバ５００から課金情報を受信した携帯電話２００は、チケット要求情報を生成して、チケット販売会社サーバ３００に対してチケット要求情報を送信する（ＳＴ１４）（チケット要求情報生成工程及びチケット要求情報送信工程の一例）。
具体的には、利用者（甲）の希望するＡ映画の映画鑑賞チケットのチケット要求情報を図７のチケット要求情報生成用データファイル２１６等を用いて生成する。
【００８５】
携帯電話２００からのチケット要求情報を受信したチケット販売会社サーバ３００は、チケット要求情報に基づきチケット購入情報を生成し、携帯電話へ送信する（ＳＴ１５）（チケット要求情報取得工程、チケット取得情報生成工程及びチケット取得情報送信工程の一例）。
具体的には、図８（ｂ）に示すチケット情報データベース３０３に利用者（甲）の携帯電話２００の電話番号をＩＤとして登録し、図８（ａ）のチケット購入情報生成用データファイル３０４等を用いてチケット購入情報を生成する。
すなわち、利用者（甲）の希望するＡ映画の映画鑑賞チケットの購入情報が携帯電話２００に送信されることになる。
【００８６】
次に、チケット購入情報を受信した携帯電話２００はチケット購入情報を図７のチケット購入情報登録用データファイル２１７に登録する（ＳＴ１６）。
以上により利用者（甲）は、料金を支払い、自己が希望するＡ映画の映画鑑賞チケットを、自己の携帯電話２００に取得することになる。
利用者（甲）は、映画鑑賞チケットの販売店を探すことなく迅速に希望するＡ映画の映画鑑賞チケットを入手すると同時に、チケット販売会社も課金を確認した後、Ａ映画の映画鑑賞チケットを販売できるので、料金が未回収になるおそれがない。
【００８７】
一方、ＳＴ７で利用者（甲）が通話料金払いを選択した場合は、携帯電話２００のディスプレイ２０７に、図１３に示すように「通話料金と共に請求します」と表示される（ＳＴ１７）。
そして、携帯電話２００は課金実行情報を電話会社課金サーバ６００へ送信する（ＳＴ１８）。
電話会社課金サーバ６００は、図１０（ｂ）の利用者データベース６０３内の利用者（甲）の口座等に課金処理する（ＳＴ１９）。
次に、電話会社課金サーバ６００は、図１０（ａ）の課金確認情報生成用データファイル６０４等を用いて課金確認情報を生成し、携帯電話２００へ送信する（ＳＴ２０）。
その後はＳＴ１３と同様である。
【００８８】
このように利用者（甲）は、自己の都合の良い課金方法を選択してＡ映画の映画鑑賞チケットを購入できるので、使い勝手のよいシステムとなっている。
【００８９】
（映画館１３への入場工程について）
図１４は、Ａ映画鑑賞チケットを取得した利用者（甲）が映画館１３へ入場する入場工程を示す概略フローチャートである。
Ａ映画鑑賞チケットを自己の携帯電話２００に取得した利用者（甲）は、図１のＡ映画を上映している映画館１３へ行き、入場するために、先ず、映画館１３の受付窓口へ行く。
そして、利用者（甲）は自己の携帯電話２００を図１の映画館１３の受付側赤外線通信装置４３０に近づけ、既に入手し、図７のチケット購入情報登録用データファイル２１７に登録しているＡ映画鑑賞チケットのチケット購入情報を非接触で送信する（ＳＴ５１）。
次に、受付側赤外線通信装置４３０が携帯電話２００のＡ映画のチケット購入情報を取得し（ＳＴ５２）、図１１のチケット情報解析用データファイル４０３に基づき受信したチケット購入情報が正当か否かを判断する（ＳＴ５３）（チケット取得情報解析工程の一例）。
【００９０】
受信したチケット購入情報が正当でない場合は、映画館チケットサーバ４００は、図１１のチケット確認／拒絶情報生成用データファイル４０４に基づき、チケット拒絶情報を生成し、ディスプレイ２０７にその旨、表示する（ＳＴ５４）。
具体的には、図１４に示すように「チケット情報が正しくありません」と表示される。
この表示を映画館１３の受付窓口の発券係員が視認することで、携帯電話２００の所持者には、チケットの半券が交付されず、入場できないことになる。
本例の利用者（甲）は正当にチケット購入情報を取得しているので、ＳＴ５３では正当と判断される。
【００９１】
この場合は、映画館チケットサーバ４００が、チケット確認情報を生成し、ディスプレイ２０７に表示すると共に、チケット確認情報を図１の受付側赤外線通信装置４３０を介して携帯電話２００へ非接触で送信する（ＳＴ５６）。
具体的には、図１４に示すように「チケット情報は正当です」と表示される。
【００９２】
チケット確認情報を受け取った携帯電話２００は、図７のチケット使用済み情報生成用データファイル２１８を用いてチケット使用済み情報を生成し、チケット使用済み情報登録用データファイル２１９に登録する（ＳＴ５７）。
これにより、携帯電話２００が取得したＡ映画の映画鑑賞チケットのチケット購入情報には消印が付され、今後は使用できない状態となる。
【００９３】
携帯電話２００がチケット使用済み情報の登録を終えると、その旨の情報を受付側赤外線通信装置４３０を介して、図１の映画館チケットサーバ４００へ非接触で送信する（ＳＴ５８）。
次に、映画館に発券係員がディスプレイ２０７で、携帯電話２００の使用済み処理を確認すると、携帯電話２００の利用者（甲）にチケットの半券を渡す（ＳＴ５９）。
これにより、利用者（甲）は映画館へ入場でき、Ａ映画を鑑賞することができることになる。
ＳＴ５９で、ディスプレイ２０７に表示されるのは、例えば図１４に示すように「使用済み処理を確認しました」等である。
【００９４】
このように、映画館１３への入場工程では、携帯電話２００と受付側赤外線通信装置４３０とは、非接触で交信しているため、接触して交信する場合に比べ格段に迅速に情報の授受を行うことができる。したがって、映画館１３のコストを著しく減少させることができる。
【００９５】
（第２の実施の形態）
図１５は、本発明の第２の実施の形態に係る映画鑑賞チケット管理システム２０の要部を示す概略図である。本実施の形態では、上述の第１の実施の形態の映画鑑賞チケット管理システム１０と多くの構成が共通しているため、共通の構成は同一符号等として説明を省略し、以下、相違点を中心に説明する。
【００９６】
図１５に示すように、本実施の形態の映画鑑賞チケット管理システム２０の映画館２３は、上述の第１の実施の形態の映画鑑賞チケット管理システム１０の映画館１３と異なり、入場等を規制するためのゲート装置７１０を有している。
ゲート装置７１０は、ゲート装置に設けられる入場を規制するバー等を開閉駆動させるためのゲート開閉装置７１２を有している。
すなわち、ゲート開閉装置７１２によって、バー等が開状態となると利用者は入場でき、逆に、バー等が閉状態となると利用者は入場できない構成となっている。
このゲート開閉装置７１２は、図１５に示すように、映画館チケットサーバ７００と接続され、映画館チケットサーバ７００によりゲートの開閉が制御される構成となっている。
【００９７】
また、ゲート装置７１０には、ゲート側赤外線通信装置７１１が配置され、利用者の携帯電話２００の端末側赤外線通信装置２５０と非接触で情報の授受が可能な構成となっている。
ゲート側赤外線通信装置７１１は、図１５に示すように、映画館チケットサーバ７００と接続されている。
本実施の形態の映画鑑賞チケット管理システム２０の要部は、以上のように構成されるが、以下その動作等について説明する。
【００９８】
図１６は、本実施の形態の映画鑑賞チケット管理システム２０の動作例を示す概略フローチャートである。本実施の形態の動作例も上述の映画鑑賞チケット管理システム１０と同様に、利用者（甲）がＡ映画を映画館２３で鑑賞する場合を例に説明する。
また、利用者（甲）がＡ映画の映画鑑賞チケットを取得する工程は、図１２及び図１３で示す、第１の実施の形態の映画鑑賞チケット取得工程と同様なため、その説明を省略し  以下、映画館２３への入場工程について説明する。
Ａ映画を鑑賞するため映画館２３への入場を希望する利用者（甲）は、自己の携帯電話２００内にＡ映画のチケット購入情報を取得した状態で、図１５に示すように、映画館２３のゲート装置７１０に近づき、ゲート装置７１０に配置されたゲート側赤外線通信装置７１１に携帯電話２００を近づける。
すると、図１５の携帯電話２００に格納されているＡ映画のチケット購入情報が赤外線通信でゲート側赤外線通信装置に送信される（ＳＴ１０１）。
【００９９】
次に、ゲート側赤外線通信装置７１１は、携帯電話２００からＡ映画のチケット購入情報を取得し（ＳＴ１０２）、図１１のチケット情報解析用データファイル４０３内のチケット情報解析用データに基づいて、図１４のＳＴ５３と同様にチケット購入情報が正当か否かを判断する（ＳＴ１０３）。
携帯電話２００から取得したチケット購入情報が正当ではない場合は、映画館チケットサーバ７００は、図１４のＳＴ５４と同様に、チケット拒絶情報を生成する。そして、生成されたチケット拒絶情報を図１５のゲート側赤外線通信装置７１１を介して携帯電話２００に赤外線で送信する（ＳＴ１０４）。
【０１００】
チケット拒絶情報を取得した携帯電話２００はディスプレイ２０７に、チケット拒絶情報を表示する（ＳＴ１０５）。具体的には、図１６に示すように「このチケットでは入場できません」と表示される。
【０１０１】
一方、ＳＴ１０３で、チケット購入情報が正当と判断された場合は、ＳＴ１０６へと進む。ＳＴ１０６では、図１４のＳＴ５６と同様に、映画館チケットサーバ７００がチケット確認情報を生成する。そして、生成されたチケット確認情報は、図１５のゲート側赤外線通信装置７１１を介して携帯電話２００へ送信される。
【０１０２】
次に、携帯電話２００は、図１４のＳＴ５７と同様に、自己が有するチケット購入情報にチケット使用済み情報を付加する（ＳＴ１０７）。
そして、携帯電話２００は、図１４のＳＴ５８と同様に、チケット使用済み情報を付加した旨の情報を端末側赤外線通信装置２５０を介して送信する（ＳＴ１０８）。
【０１０３】
次に、映画館チケットサーバ７００は、ゲート装置７１０のゲート開閉装置７１２を開状態とし、利用者（甲）の入場を認めると共に、ゲート装置７１０はチケットの半券を交付する（ＳＴ１０９）。
以上により、利用者（甲）はＡ映画の鑑賞のため映画館２３に入場することができる。
このように、本実施の形態では、入場を希望する利用者（甲）は、携帯電話２００を映画館２３に設置したゲート装置７１０に近づけるだけで、自動的に携帯電話２００が有するチケット購入情報の可否を判断する。
そして、チケット購入情報が正当でない場合は、ゲート装置７１０のゲート開閉装置７１２が閉まり、入場を許可しない。一方、チケット購入情報が正当な場合は、ゲート装置７１０のゲート開閉装置７１２が開き、入場を許可すると共に、チケットの半券を交付する。
したがって、利用者（甲）は、映画館２３の受付窓口を介せずに入場等を行うことができるので、迅速に入場等を行うことができる。また、映画館２３は、受付事務の事務量が大幅に減少するので、さらに人員を削減できコストを大幅に削減することができる。
【０１０４】
（第３の実施の形態）
図１７は、本発明の第３の実施の形態の映画鑑賞チケット管理システム３０の要部を示す概略図である。本実施の形態では、上述の第１の実施の形態の映画鑑賞チケット管理システム１０及び第２の実施の形態の映画鑑賞チケット管理システム２０と多くの構成が共通しているため、共通の構成は同一符号等として説明を省略し、以下、相違点を中心に説明する。
【０１０５】
図１７に示すように、本実施の形態の映画鑑賞チケット管理システム３０の携帯電話２４０には、上述の図３に示す第１の実施の形態の映画鑑賞チケット管理システム１０の携帯電話２００と異なり、端末側ＲＦタグ１１０が配置されている。
端末側ＲＦタグ１１０はポスター１１に付されているＲＦタグ１００と同様のハードウエア構成を有している。
【０１０６】
また、図１７に示す携帯電話２４０には、図３の携帯電話２００と異なり、端末側タグリードライト装置２４１が配置されている。端末側タグリードライト装置２４１は、図１７に示すポスター１１のＲＦタグ１００内の各種情報を読み取ると共に、端末側ＲＦタグ１１０に対してこれらの情報を書き込む構成となっている。
このため、端末側ＲＦタグ１１０は、ポスター１１のＲＦタグ１００内の映画関連情報１０３を格納する機能を有する。
【０１０７】
一方、図１７に示すように、本実施の形態の映画鑑賞チケット管理システム３０の映画館３３のゲート装置７１０には、上述の図１５に示す映画鑑賞チケット管理システム２０の映画館２３のゲート装置８１０と異なり、ゲート側タグリードライト装置８０１が設置されている。
ゲート側タグリードライト装置８０１は、図１７の携帯電話２４０の端末側ＲＦタグ１１０内の各種情報を読み取ったり、端末側ＲＦタグ１１０に情報を書き込んだりする機能を有する。
【０１０８】
本実施の形態に係る映画鑑賞チケット管理システム３０の要部は、以上のように構成されるが、以下その動作等について説明する。
図１８は、本実施の形態の映画鑑賞チケット管理システム３０のうち、映画鑑賞チケット購入工程の要部を示す概略フローチャートである。
本実施の形態の動作例も上述の映画鑑賞チケット管理システム１０、２０と同様に、利用者（甲）がＡ映画を映画館３３で鑑賞する場合を例に説明する。
本実施の形態の映画鑑賞チケット購入工程は、図１２及び図１３に示す、第１の実施の形態のＳＴ１乃至ＳＴ１５並びにＳＴ１７乃至ＳＴ２０の映画鑑賞チケット購入工程と同様である。しかし、図１３のＳＴ１６が、本実施の形態では異なる。
すなわち、図１８に示すように、携帯電話２４０は、チケット販売会社サーバ３００から入手したＡ映画のチケット購入情報を端末側ＲＦタグ１１０に登録する（ＳＴ１５６）。
【０１０９】
図１９（ａ）は図１８のＳＴ１５６における端末側ＲＦタグ１１０のＩＣチップ１０２内の格納情報を示す説明図である。
図１９（ａ）に示すように、端末側ＲＦタグ１１０内には、チケット販売会社サーバ３００から取得したチケット購入情報１１１が格納されている。
【０１１０】
図２０は、本実施の形態における映画館３３への入場工程を示す概略フローチャートである。先ず、Ａ映画を鑑賞するために映画館３３への入場を希望する利用者（甲）は、自己の携帯電話２４０の端末側ＲＦタグ１１０内のチケット購入情報１１１を格納した状態で、図１７のゲート装置８１０のゲート側タグリードライト装置８０１に、携帯電話２４０を近づける。
すると、ゲート側タグリードライト装置８０１は、携帯電話２４０の端末側ＲＦタグ１１０内のチケット購入情報１１１を非接触で取得する（ＳＴ２０２）。
【０１１１】
次に、図１７の映画館チケットサーバ８００は、第１の実施の形態の図１４のＳＴ５３と同様に、チケット購入情報１１１が正当か否かを判断し（ＳＴ２０３）、正当でない場合は、映画館チケットサーバ８００は図１７のゲート開閉装置７１２を開状態に制御する。このため、利用者（Ａ）はゲート装置８１０から入場することができない。
【０１１２】
一方、ＳＴ２０３でチケット購入情報１１１が正当と判断した場合は、映画館チケットサーバ８００は、チケット受理のＲＦ信号を送信する。映画館チケットサーバ８００からのチケット受理のＲＦ信号に基づき携帯電話２４０の端末側ＲＦタグ１１０へチケット使用済み情報１１２（図１９（ｂ）参照）を書き込む（ＳＴ２０５）。
図１９（ｂ）はＳＴ２０５における端末側ＲＦタグ１１０のＩＣチップ１０２内のデータ情報を示す概略説明図である。
図１９（ｂ）に示すように、端末側ＲＦタグ１１０にはチケット使用済み情報１１２が付加される。
次に、映画館チケットサーバ８００は、ゲート開閉装置７１２を制御してゲート開閉装置８１０を開状態とする（ＳＴ２０６）。
これより、利用者（甲）は映画館３３に入場できＡ映画を鑑賞できることになる。
【０１１３】
このように、本実施の形態でも、利用者（甲）は、映画館３３の受付窓口を介せずに入場等を行うことができるので、迅速に入場等を行うことができる。また、映画館３３は、受付事務の事務量が大幅に減少するので、さらに人員を削減できコストを大幅に削減することができる。
【０１１４】
（プログラム及びコンピュータ読み取り可能な記録媒体等について）
コンピュータに上述の動作例のチケット要求情報取得工程、チケット取得情報生成工程、チケット取得情報生成工程等を実行させるためのチケット提供装置の制御プログラム等とすることができる。
また、このようなチケット提供装置の制御プログラム等を記録したコンピュータ読み取り可能な記録媒体等とすることもできる。
これらチケット提供装置の制御プログラム等をコンピュータにインストールし、コンピュータによって実行可能な状態にするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【０１１５】
本発明は、上述の実施の形態に限定されない。さらに、上述の各実施の形態は、相互に組み合わせて構成するようにしてもよい。
【図面の簡単な説明】
【０１１６】
【図１】本発明のチケット情報管理システムの第１の実施の形態である映画鑑賞チケット管理システムを示す概略図である。
【図２】図１のＲＦタグの主なハードウエア構成を示す概略図である。
【図３】図２の携帯電話の主なハードウエア構成を示す概略図である。
【図４】映画館チケットサーバの主なハードウエア構成を示す概略図である。
【図５】チケット販売会社サーバ等の主なハードウエア構成を示す概略図である。
【図６】ＲＦタグの主なソフトウエア構成を示す概略図である。
【図７】携帯電話の主なソフトウエア構成を示す概略図である。
【図８】（ａ）は、チケット販売会社サーバ３００の主なソフトウエア構成を示す概略図であり、（ｂ）は、チケット情報データベース３０３のデータ例を示す概略図である。
【図９】（ａ）は、クレジットカード会社課金サーバの主なソフトウエア構成を示す概略図であり、（ｂ）は、カード情報データベース５０２内のデータ例を示す概略図である。
【図１０】（ａ）は、電話会社課金サーバの主なソフトウエア構成を示す概略図であり、（ｂ）は、利用者データベース６０３のデータ例を示す概略図である。
【図１１】図１の映画館に配置されている映画館チケットサーバ及び受付側赤外線通信装置の主なソフトウエア構成を示す概略図である。
【図１２】映画鑑賞チケット管理システムの動作等のうち、映画鑑賞チケット取得工程を示す概略フローチャートである。
【図１３】映画鑑賞チケット管理システムの動作等のうち、映画鑑賞チケット取得工程を示す他の概略フローチャートである。
【図１４】Ａ映画鑑賞チケットを取得した利用者（甲）が映画館へ入場する入場工程を示す概略フローチャートである。
【図１５】本発明の第２の実施の形態に係る映画鑑賞チケット管理システムの要部を示す概略図である。
【図１６】第２の実施の映画鑑賞チケット管理システムの動作例を示す概略フローチャートである。
【図１７】第３の実施の形態の映画鑑賞チケット管理システムの要部を示す概略図である。
【図１８】第３の実施の形態の映画鑑賞チケット管理システムのうち、映画鑑賞チケット購入工程の要部を示す概略フローチャートである。
【図１９】（ａ）は図１８のＳＴ１５６における端末側ＲＦタグのＩＣチップ内の格納情報を示す説明図であり、（ｂ）は、ＳＴ２０５における端末側ＲＦタグのＩＣチップ内のデータ情報を示す概略説明図である。
【図２０】第３の実施の形態における映画館への入場工程を示す概略フローチャートである。
【符号の説明】
【０１１７】
１０、２０、３０・・・映画鑑賞チケット管理システム、１１・・・ポスター、１２・・・基地局、１３、２３、３３・・・映画館、１４・・・インターネット網、１００・・・ＲＦタグ、１０１・・・タグ本体、１０２・・・ＩＣチップ、１０３・・・映画関連情報、１０３ａ・・・映画ＩＤ情報、１０３ｂ・・・チケット販売会社サーバ情報、１０３ｃ・・・映画鑑賞チケット料金情報、１０３ｄ・・・映画上映期限情報、１０４・・・アンテナ部、１０７・・・ＲＦタグ固有ＩＤ情報、１１０・・・端末側ＲＦタグ、１１１・・・チケット購入情報、１１２・・・チケット使用済み情報、２００、２４０・・・携帯電話、２０１・・・端末側通信装置、２０１ａ・・・端末側通信装置管理部、２０２・・・バス、２０３・・・ＣＰＵ、２０４・・・ＲＡＭ、２０５・・・ＲＯＭ、２０６・・・入力装置、２０６ａ・・・入力装置管理部、２０７・・・ディスプレイ、２０７ａ・・・ディスプレイ管理部、２０８・・・携帯制御部、２０９・・・ＲＦタグ情報解析用データファイル、２１０・・・ＲＦタグ情報登録用データファイル、２１１・・・料金表示画面生成用データファイル、２１２・・・意思確認画面生成用データファイル、２１３・・・課金方法データファイル、２１４・・・カード認証要求情報生成用データファイル、２１５・・・課金実行情報生成用データファイル、２１６・・・チケット要求情報生成用データファイル、２１７・・・チケット購入情報登録用データファイル、２１８・・・チケット使用済み情報生成用データファイル、２１９・・・チケット使用済み情報登録用データファイル、２２０・・・課金確認情報登録用データファイル、２２１・・・携帯電話ＩＤ情報登録用データファイル、２３０・・・端末側タグリーダ装置、２３０ａ・・・端末側タグリーダ装置管理部、２４１・・・端末側タグリードライト装置、２５０・・・端末側赤外線通信装置、２５０ａ・・・端末側赤外線通信装置管理部、３００・・・チケット販売会社サーバ、３０１・・・通信装置、３０１ａ・・・ウエブ管理部、３０１ｂ・・・電子メール管理部、３０２・・・販売会社サーバ制御部、３０３・・・チケット情報データベース、３０４・・・チケット購入情報生成用データファイル、４００、７００、８００・・・映画館チケットサーバ、４０１・・・ハードディスク、４０２・・・映画館サーバ制御部、４０３・・・チケット情報解析用データファイル、４０４・・・チケット確認／拒絶情報生成用データファイル、４３０・・・受付側赤外線通信装置、５００・・・クレジットカード会社課金サーバ、５０１・・・カード会社サーバ制御部、５０２・・・カード情報データベース、５０３・・・カード認証要求判断用データファイル、５０４・・・カード認証結果情報生成用データファイル、５０５・・・課金確認情報生成用データファイル、６００・・・電話会社課金サーバ、６０１・・・通信管理部、６０２・・・電話会社サーバ制御部、６０３・・・利用者データベース、７１０、８１０・・・ゲート装置、７１１・・・ゲート側赤外線通信装置、７１２・・・ゲート開閉装置、８０１・・・ゲート側タグリードライト装置。
【図１】
2005267245.tif 000003
【図２】
2005267245.tif 000004
【図３】
2005267245.tif 000005
【図４】
2005267245.tif 000006
【図５】
2005267245.tif 000007
【図６】
2005267245.tif 000008
【図７】
2005267245.tif 000009
【図８】
2005267245.tif 000010
【図９】
2005267245.tif 000011
【図１０】
2005267245.tif 000012
【図１１】
2005267245.tif 000013
【図１２】
2005267245.tif 000014
【図１３】
2005267245.tif 000015
【図１４】
2005267245.tif 000016
【図１５】
2005267245.tif 000017
【図１６】
2005267245.tif 000018
【図１７】
2005267245.tif 000019
【図１８】
2005267245.tif 000020
【図１９】
2005267245.tif 000021
【図２０】
2005267245.tif 000022